(57)【特許請求の範囲】
【請求項１】
光ディスクに記録され読み取られた信号に存する非対称を補正するための装置において、
前記読み取られた信号をデジタル形態の信号に変換して出力する信号変換部と、
前記デジタル変換された信号とフィードバックされる所定の非対称補正信号とを加算して非対称が補正された信号として出力する加算部と、
前記加算部から出力される信号に対する計数動作を行ない、その計数値を既に設定された臨界値と比較し、その比較結果によって非対称補正の制御のための信号を発生して出力する計数部と、
前記非対称補正の制御信号に応じて非対称補正信号を発生して前記加算部にフィードバックする非対称補正部とを含み、
前記計数部は前記加算部から出力される信号のサインビットを印加されサインビットに対する計数動作を行なう再生信号の非対称を補正する装置。
【請求項２】
前記計数部は前記読み取られた信号のレベルによって可変される臨界値を有する請求項１に記載の再生信号の非対称を補正する装置。
【請求項３】
前記計数部は、
前記加算部から出力される信号のサインビットが（＋）値の場合は計数値を増やし、サインビットが（−）値の場合は計数値を減らし、
前記計数値の絶対値が前記臨界値より大きければリセットされ、
前記計数値の絶対値が前記臨界値より大きい時、計数値の符号が（＋）ならば、非対称補正信号を減らすための制御信号を前記非対称補正部に出力し、計数値の符号が（−）ならば、非対称補正信号を増やすための制御信号を前記非対称補正部に出力する請求項１に記載の再生信号の非対称を補正する装置。
【請求項４】
光ディスクに記録され読み取られた信号に存する非対称を補正するための装置において、
前記読み取られた信号をデジタル形態の信号に変換して出力する信号変換部と、
前記デジタル変換された信号とフィードバックされる所定の非対称補正信号とを加算して非対称が補正された信号として出力する加算部と、
前記加算部から出力される信号に対する計数動作を行ない、その計数値を既に設定された臨界値と比較し、その比較結果によって非対称補正の制御のための信号を発生して出力する計数部と、
前記非対称補正の制御信号に応じて非対称補正信号を発生して前記加算部にフィードバックする非対称補正部とを含み、
前記計数部は、
前記加算部から出力される信号を所定時間遅らせてから出力する第１遅延器と、
前記第１遅延器の遅延された信号を所定時間遅らせた後非対称が補正された信号として出力する第２遅延器と、
前記加算部から出力される信号と前記第２遅延器から出力される信号とを加算して出力する加算器と、
前記第１遅延器から出力される信号でゼロクロシング点を検出し、ゼロクロシング点が検出されれば、前記加算器で加算された信号に対する計数動作制御信号を発生して出力するゼロクロシング点検出器と、
前記ゼロクロシング点検出器から計数動作制御信号の印加時、前記加算器から印加される信号に対する計数動作を行ない、その計数値を前記臨界値と比較して比較結果によって非対称補正の制御のための信号を前記非対称補正部へ出力するカウンターとを含む再生信号の非対称を補正する装置。
【請求項５】
前記カウンターは前記加算器から出力される信号のサインビットを印加されサインビットに対する計数動作を行なう請求項４に記載の再生信号の非対称を補正する装置。
【請求項６】
前記カウンターは、
前記加算器から出力される信号のサインビットが（＋）値の場合は計数値を増やし、サインビットが（−）値の場合は計数値を減らし、
前記計数値の絶対値が前記臨界値より大きければリセットされ、
前記計数値の絶対値が前記臨界値より大きい時、計数値の符号が（＋）ならば、非対称補正信号を減らすための制御信号を前記非対称補正部に出力し、計数値の符号が（−）ならば、非対称補正信号を増やすための制御信号を前記非対称補正部に出力する請求項５に記載の再生信号の非対称を補正する装置。
【請求項７】
光ディスクに記録され読み取られた信号に存する非対称を補正するための装置において、
前記読み取られた信号をデジタル形態の信号に変換して出力する信号変換部と、
前記デジタル変換された信号とフィードバックされる所定の非対称補正信号とを加算して非対称が補正された信号として出力する加算部と、
前記加算部から出力される信号に対する計数動作を行ない、その計数値を既に設定された臨界値と比較し、その比較結果によって非対称補正の制御のための信号を発生して出力する計数部と、
前記非対称補正の制御信号に応じて非対称補正信号を発生して前記加算部にフィードバックする非対称補正部とを含み、
前記計数部は、
前記加算部から出力される信号を所定時間遅らせた後出力する第１遅延器と、
前記第１遅延器の遅延された信号を所定時間遅らせた後非対称が補正された信号として出力する第２遅延器と、
前記第１遅延器の遅延された信号と前記第２遅延器の遅延された信号とを加算して出力する加算器と、
前記加算部から出力される信号について既設定された最短Ｔを検出し、最短Ｔが検出されれば検出結果を出力する最短Ｔ検出器と、
前記最短Ｔ検出器から印加される検出結果によって前記加算器から印加される信号について累積動作及び更新動作のうちいずれか一つの動作を行ない、累積動作による累積された信号を出力する積分器と、
前記積分器から印加される累積された信号に対する計数動作を行ない、その計数値を前記臨界値と比較して比較結果によって非対称補正の制御のための信号を前記非対称補正部に出力するカウンターを含む再生信号の非対称を補正する装置。
【請求項８】
前記最短Ｔ検出器は、
前記加算部から出力され信号が（＋）方向の最短Ｔ検出器なのかを検出し、（＋）方向の最短Ｔが検出されれば第１検出結果を前記積分器に出力する（＋）方向最短Ｔ検出器と、
前記加算部から出力され信号が（−）方向の最短Ｔなのかを検出し、（−）方向の最短Ｔが検出されれば第２検出結果を前記積分器に出力する（−）方向最短Ｔ検出器である請求項７に記載の再生信号の非対称を補正する装置。
【請求項９】
前記積分器は、
前記最短Ｔ検出器から第１検出結果が印加された後直ちに第２検出結果が印加される場合と第２検出結果が印加された後直ちに第１検出結果が印加される場合のうちいずれか一つの場合において、前記加算器から印加される信号について累積動作を行ない、
前記最短Ｔ検出器から第１検出結果が印加された後再び第１検出結果が印加される場合と第２検出結果が印加された後再び第２検出結果が印加される場合のうちいずれか一つの場合において、前記加算器から印加される信号について更新動作を行なう請求項７に記載の再生信号の非対称を補正する装置。
【請求項１０】
前記カウンターは前記積分器から出力される信号のサインビットを印加されサインビットに対する計数動作を行なう請求項７に記載の再生信号の非対称を補正する装置。
【請求項１１】
前記カウンターは、
前記積分器から出力される累積信号のサインビットが（＋）値の場合は計数値を増やし、サインビットが（−）値の場合は計数値を減らし、
前記計数値の絶対値が前記臨界値より大きければリセットされ、
前記計数値の絶対値が前記臨界値より大きい時、計数値の符号が（＋）ならば、非対称補正信号を減らすための制御信号を前記非対称補正部に出力し、計数値の符号が（−）ならば、非対称補正信号を増やすための制御信号を前記非対称補正部へ出力する請求項１０に記載の再生信号の非対称を補正する装置。
【請求項１２】
前記非対称補正部は最初‘０’の非対称補正信号を前記加算部に出力する請求項１に記載の再生信号の非対称を補正する装置。
【請求項１３】
前記非対称補正部はリセット及びホールドが可能である請求項１に記載の再生信号の非対称を補正する装置。
【発明の詳細な説明】
【０００１】
【発明の属する技術分野】
本発明は光ディスクに記録され再生される信号に存する非対称（ａｓｙｍｍｅｔｒｙ）を補正する装置に係り、再生される信号をデジタル方式に信号処理することによって非対称を補正する装置に関する。
【０００２】
【従来の技術】
光ディスク上に記録されるデジタルデータは物理的に‘ピット（ｐｉｔ）’という形態に存する。このピットは理想的（ｉｄｅａｌ）に形成し難いため、実際においてはピットの長さが一つの軸方向に延びたり縮まることにより形成される。このような現象が非対称（ａｓｙｍｍｅｔｒｙ）である。非対称は製造工程、ピックアップの性能など色々な原因により発生し、ディスクを取扱う過程で避けられない要因である。そして、このような非対称は再生した信号で非対称成分に現れて光ディスクシステムの正確性を劣化する結果を招く。
【０００３】
図１は光ディスクシステムを利用して光ディスクからサンプリングした再生信号を示した図面である。図１において、サンプリングされた再生信号のレベルが全体的に＋２程のＤＣオフセットに該当する△Ｖほど縦軸に移動していることが分かる。これにより再生信号には非対称成分が存することが分かる。
図２は光ディスクシステムで非対称を補正する従来のアナログ方式の非対称補正装置を示した図面である。
【０００４】
図２の非対称補正装置において、比較器１０は光ディスクから読み取られた信号（再生信号）とフィードバックされる基準値とを比較して二値化したＮＲＺＩ（Ｎｏｎ  Ｒｅｔｕｒｎ  ｔｏ  Ｚｅｒｏ  Ｉｎｖｅｒｔｅｄ）データを出力する。積分器及び低域通過フィルター１１は二値化されたデータからＤＳＶ（Ｄｉｇｉｔａｌ  Ｓｕｍ  Ｖａｌｕｅ）計算を行ない、計算されたＤＳＶのローカルピーク値を除去して比較器１０の基準値としてフィードバックする。以上のような従来の補正装置は、図１に示したように、再生信号検出のための基準レベルが入力される再生信号の中央値に維持されるよう、再生信号のＤＳＶが最小化される方向に比較器１０の基準値を維持する。このような過程で再生信号に対する非対称成分が補正される。
【０００５】
このようなアナログ方式の非対称補正装置を備える光ディスクシステムは光ディスクの記録密度が増加することによってアナログ方式の信号検出器よりはデジタル方式の信号検出器を必要とする。かつ、光ディスクシステムは記録されたデジタル信号に対する非対称を適応的に補正し、デジタル方式に信号処理する非対称補正装置を必要とする。
【０００６】
しかし、従来のアナログ方式の非対称補正装置は光ディスクの記録密度増加時デジタル信号の非対称を補正することにおいて処理速度及び処理容量に限界を持つ。
また、再生信号に不連続区間が存するＤＶＤ−ＲＡＭの場合、従来の非対称補正装置は各区間毎に他の非対称量に対応して積分器の時定数を適期に変えられない。さらに、ヘッダ区間のように短区間の存在時、従来の非対称補正装置は積分器の時定数を直ちに変えられない。
【０００７】
【発明が解決しようとする課題】
従って、前述した問題点を解決するための本発明の目的は、光ディスクに記録され再生される信号をデジタル方式に信号処理することによって非対称を補正する装置を提供するところにある。
【０００８】
【課題を解決するための手段】
このような本発明の目的を達成するための本発明の再生信号の非対称を補正する装置は、光ディスクに記録され読み取られた信号に存する非対称を補正するための装置において、前記読み取られた信号をデジタル形態の信号に変換して出力する信号変換部と、前記デジタル変換された信号とフィードバックされる所定の非対称補正信号とを加算して非対称が補正された信号として出力する加算部と、前記加算部から出力される信号に対する計数動作を行ない、その計数値を既設定された臨界値と比較し、比較結果によって非対称補正の制御のための信号を発生して出力する計数部及び前記非対称補正の制御信号に応じて非対称補正信号を発生して前記加算部にフィードバックする非対称補正部とを含む。
【０００９】
【発明の実施の形態】
以下、添付した図面に基づき本発明の望ましい実施形態を詳細に説明する。
図３は本発明に係る第１実施形態で、再生信号の非対称補正装置を示した図面である。
図３において、Ａ／Ｄ変換器３０は光ディスク（図示せず）から読み取られた信号（再生信号）を入力されデジタル形態の信号に変換して出力する。加算器３１はＡ／Ｄ変換器３０でデジタル変換された信号とフィードバックされる所定の非対称補正値とを加算する。加算器３１は加算された信号を非対称が補正された信号として信号検出器（図示せず）に出力する。そして、加算器３１から出力される非対称の補正された信号のサインビット（ｓｉｇｎ  ｂｉｔ）はカウンター３２に入力される。
【００１０】
カウンター３２は入力されるサインビットに対する計数動作を行なう。即ち、カウンター３２は入力されるサインビットが（＋）値の場合は計数値を増やし、サインビットが（−）値の場合は計数値を減らす。カウンター３２は計数値の絶対値が既設定された臨界値より大きければリセット（ｒｅｓｅｔ）され、この際非対称補正が必要だと判断する。ここで、臨界値はＡ／Ｄ変換器３０に入力される信号のレベルによって変更設定が可能であり、非対称補正のための基準値である。カウンター３２は計数値の絶対値が臨界値より大きければ非対称補正値を増減させるための制御信号を非対称補正器３３に出力する。この際、カウンター３２は計数値の符号が（＋）ならば、非対称補正値を減らすための制御信号を非対称補正器３３に出力し、計数値の符号が（−）ならば、非対称補正値を増やすための制御信号を非対称補正器３３に出力する。
【００１１】
非対称補正器３３はカウンター３２から印加される制御信号に応じて非対称補正値を増加または減少させ加算器３１にフィードバックされる。この際、非対称補正器３３の初期非対称補正値は‘０’である。そして、非対称補正器３３は光ディスクの欠陥区間またはブランク区間でリセット及びホールド（ｈｏｌｄ）されることが可能である。
それで、加算器３１はＡ／Ｄ変換器３０からの信号と非対称補正器３３からフィードバックされる非対称補正値とを加算するようになる。これで、連続して光ディスクから読み取られた信号は前述した非対称補正装置で非対称が補正される。
【００１２】
図４は本発明に係る第２実施形態であり、ゼロクロシング点検出により再生信号の非対称を補正する装置を示した図面である。
図４において、Ａ／Ｄ変換器４０は光ディスク（図示せず）から読み取られた信号を入力されデジタル形態の信号に変換して出力する。第１加算器４１はＡ／Ｄ変換器４０でデジタル変換された信号とフィードバックされる所定の非対称補正値とを加算する。第１加算器４１は加算される信号を第１遅延器４２及び第２加算器４４に出力する。第１遅延器４２は入力される信号を所定時間遅らせて第２遅延器４３及びゼロクロシング点検出器４５に出力する。第２遅延器４３は入力される信号を所定時間遅らせて非対称が補正された信号として図示していない信号検出器及び第２加算器４４に出力する。第２加算器４４は入力される第１加算器４１で加算された信号と第２遅延器４３で遅延された信号とを加算する。第２加算器４４は加算された信号のサインビットをカウンター４６に出力する。
【００１３】
ゼロクロシング点検出器４５は第１遅延器４２で遅延され入力される信号でゼロクロシング点を検出する。検出結果、ゼロクロシング点が検出されれば、ゼロクロシング点検出器４５はカウンター４６のサインビット計数動作を制御するための信号をカウンター４６に出力する。カウンター４６はゼロクロシング点検出器４５から動作制御信号が印加される時、第２加算器４４から印加されるサインビットに対する計数動作を行なう。即ち、第２加算器４４は入力される信号のゼロクロシング点を基準に以前の信号と以後の信号とを加算するようになる。
【００１４】
それで、カウンター４６は第２加算器４４から入力されるサインビットが（＋）値の場合は計数値を増やし、サインビットが（−）値の場合は計数値を減らす。カウンター４６は計数値の絶対値が既設定された臨界値より大きければリセット（ｒｅｓｅｔ）され、この際非対称補正が必要だと判断する。ここで、臨界値はＡ／Ｄ変換器４０に入力される信号のレベルによって変更設定が可能であり、非対称補正のための基準値である。カウンター４６は計数値の絶対値が臨界値より大きければ非対称補正値を増減させるための制御信号を非対称補正器４７に出力する。この際、カウンター４６は計数値の符号が（＋）ならば、非対称補正値を減らすための制御信号を非対称補正器４７に出力し、計数値の符号が（−）ならば、非対称補正値を増やすための制御信号を非対称補正器４７に出力する。
【００１５】
非対称補正器４７はカウンター４６から印加される制御信号に応じて非対称補正値を増加または減少させ第１加算器４１にフィードバックする。この際、非対称補正器４７の初期非対称補正値は‘０’である。そして、非対称補正器４７は光ディスクの欠陥区間またはブランク区間でリセット及びホールドされることが可能である。
それで、第１加算器４１はＡ／Ｄ変換器４０からの信号と非対称補正器４７からフィードバックされる非対称補正値を加算するようになる。これで、連続して光ディスクから読み取られた信号は前述した非対称補正装置で非対称が補正される。
【００１６】
このようにゼロクロシング点検出による非対称補正装置は特に回路によるＤＣオフセットが除去された後、新しく発生された非対称によるＤＣオフセットを除去するのに効果的である。
図５は本発明に係る第３実施形態であって、最短Ｔ検出により再生信号の非対称を補正する装置を示した図面である。図５の補正装置は最短Ｔとして（＋）方向の３Ｔ及び（−）方向の３Ｔを検出する。ここで、Ｔはビットの間隔を意味する。
【００１７】
図６は図５の補正装置が＋３Ｔを検出することを示した図面である。
図５において、Ａ／Ｄ変換器５０は光ディスク（図示せず）から読み取られた信号を入力されデジタル信号に変換して出力する。第１加算器５１はＡ／Ｄ変換器５０でデジタル変換された信号とフィードバックされる所定の非対称補正値とを加算する。第１加算器５１は加算される信号を第１遅延器５２、（＋）方向最短Ｔ検出器５５及び（−）方向最短Ｔ検出器５６に出力する。第１遅延器５２は入力される信号を所定時間遅らせて第２遅延器５３及び第２加算器５４に出力する。第２遅延器５３は入力される信号を所定時間遅らせて非対称が補正された信号として図示していない信号検出器及び第２加算器５４に出力する。第２加算器５４は第１遅延器５２で遅延された信号と第２遅延器５３で遅延された信号とを加算する。即ち、第２加算器５４は図６に示したように、最短Ｔが３Ｔの場合ゼロクロシング点の信号を除いたａ、ｂの信号を加算する。第２加算器５４は加算された信号を積分器５７に出力する。
【００１８】
（＋）方向最短Ｔ検出器５５及び（−）方向最短Ｔ検出器５６は第１加算器５１から入力される信号が（＋）方向の３Ｔ及び（−）方向の３Ｔなのかを検出する。この際、（＋）方向最短Ｔ検出器５５及び（−）方向最短Ｔ検出器５６は図６に示したように、ゼロクロシング点を検出するために設定された臨界値によりゼロクロシング点を認識する。（＋）方向最短Ｔ検出器５５及び（−）方向最短Ｔ検出器５６は入力される信号が（＋）方向の３Ｔ及び（−）方向の３Ｔに検出されれば、第１検出結果及び第２検出結果を積分器５７に出力する。
【００１９】
積分器５７は第１検出結果が印加された後直ちに第２検出結果が印加されたり、第２検出結果が印加された後直ちに第１検出結果が印加されれば、第２加算器５４から印加される加算信号を累積する。積分器５７は第１検出結果が印加された後再び第１検出結果が印加されたり、第２検出結果が印加されてから再び第２検出結果が印加されれば、第２加算器５４から印加される加算信号を二番目に印加される第１検出結果や第２検出結果にともなう加算信号に更新する。積分器５７は累積された加算信号のサインビットをカウンター５８に出力する。
【００２０】
カウンター５８は、積分器５７から入力されるサインビットが（＋）値の場合は計数値を増やし、サインビットが（−）値の場合は計数値を減らす。カウンター５８は計数値の絶対値が既設定された臨界値より大きければリセットされ、この際非対称補正が必要だと判断する。ここで、臨界値はＡ／Ｄ変換器５０に入力される信号のレベルによって変更設定が可能であり、非対称補正のための基準値である。カウンター５８は計数値の絶対値が臨界値より大きければ非対称補正値を増減させるための制御信号を非対称補正器５９に出力する。この際、カウンター５８は計数値の符号が（＋）ならば、非対称補正値を減らすための制御信号を非対称補正器５９に出力し、計数値の符号が（−）ならば、非対称補正値を増やすための制御信号を非対称補正器５９に出力する。
【００２１】
非対称補正器５９はカウンター５８から印加される制御信号に応じて非対称補正値を増加または減少させ、第１加算器５１にフィードバックされる。この際、非対称補正器５９の初期非対称補正値は‘０’である。そして、非対称補正器５９は光ディスクの欠陥区間またはブランク区間でリセット及びホールドすることが可能である。
それで、第１加算器５１はＡ／Ｄ変換器５０からの信号と非対称補正器５９からフィードバックされる非対称補正値とを加算するようになる。これで、連続して光ディスクから読み取られた信号は前述した非対称補正装置で非対称が補正される。
【００２２】
図７は図３乃至図５の装置による計数値及び非対称補正値を示した図面である。太い実線の階段状の波形が非対称補正値を示し、細い実線の鋸状の波形が計数値を表す。（−）方向に非対称が印加されているため、非対称補正は（＋）方向になされることが分かる。
図８は図３乃至図５の装置により図１の非対称が存する再生信号に対して非対称が補正された再生信号を示した図面である。示したように、非対称が補正された再生信号の中央値が信号レベル‘０’に一致することが分かる。
【００２３】
【発明の効果】
以上述べた通り、本発明に係る非対称補正装置は、光ディスクから読み取られた信号についてデジタル方式で非対称を補正する。それで、本発明に係る非対称補正装置は光ディスクに不連続区間が存しても再生信号のサインビット計数のための臨界値及び非対称補正値を変らせることにより不連続信号に対する適応速度を容易に変化させられる。
【図面の簡単な説明】
【図１】従来の光ディスクシステムを利用して光ディスクからサンプリングした再生信号を示した図面である。
【図２】従来の光ディスクシステムで非対称を補正するアナログ方式の非対称補正装置を示した図面である。
【図３】本発明に係る第１実施形態で、再生信号の非対称を補正する装置を示した図面である。
【図４】本発明に係る第２実施形態で、ゼロクロシング点検出により再生信号の非対称を補正する装置を示した図面である。
【図５】本発明に係る第３実施形態で、最短Ｔ検出により再生信号の非対称を補正する装置を示した図面である。
【図６】図５の補正装置が＋３Ｔを検出することを示した図面である。
【図７】図３乃至図５の装置による計数値及び非対称補正値を示した図面である。
【図８】本発明に係る装置により図１の非対称が存する再生信号について非対称が補正された再生信号を示した図面である。
【符号の説明】
３０、４０、５０  Ａ／Ｄ変換器
３１、４１、４４、５１、５４  加算器
３２、４６、５８  カウンター
３３、４７、５９  非対称補正器
４２、４３、５２、５３  遅延器
４５  ゼロクロシング点検出器
５５  （＋）方向最短Ｔ検出器
５６  （−）方向最短Ｔ検出器
５７  積分器
【図１】
0003540221.tif 000002
【図２】
0003540221.tif 000003
【図３】
0003540221.tif 000004
【図４】
0003540221.tif 000005
【図５】
0003540221.tif 000006
【図６】
0003540221.tif 000007
【図７】
0003540221.tif 000008
【図８】
0003540221.tif 000009